(57)【要約】      （修正有）【課題】デバイスの表面に設置された発光ダイオードが表示機能を維持しながら、摂動を引き起こすことのないカバー部材を提供する。【解決手段】平坦デバイス表面に設置された発光ダイオードを覆うためのカバー部材１１を、１つまたは複数の発光体１３と、１つまたは複数の該発光体に接続された周方向の固定用ウェブ１４とから構成し、固定用ウェブと発光体との間に形成される収容空間に、デバイス表面上に突出する発光ダイオードを収容可能となるよう構成する。【選択図】図２
2020113765.tif 000002
【特許請求の範囲】
【請求項１】
平坦デバイス表面に設置されたＬＥＤ（１８）を覆うためのカバー部材であって、
１つまたは複数の発光体（１３）と、
１つまたは複数の発光体（１３）に接続された周方向の固定用ウェブ（１４）と、
を備え、
固定用ウェブ（１４）と発光体（１３）との間に収容空間（１５）が形成され、デバイス表面（１２）上に突出するＬＥＤ（１８）が収容空間（１５）に収容可能なように構成されたことを特徴とするカバー部材。
【請求項２】
発光体（１３）は、円周方向の固定用ウェブ（１４）に直接隣接していることを特徴とする請求項１に記載のカバー部材。
【請求項３】
デバイス表面（１２）にカバー部材（１１）を固定するために、好ましくは、周方向の接着面（１６）が、発光体（１３）とは反対側の周方向の固定用ウェブ（１４）に形成されていることを特徴とする請求項１又は２に記載のカバー部材。
【請求項４】
少なくとも発光体（１３）、好ましくは周方向の固定用ウェブ（１４）も、プラスチックで形成されていることを特徴とする請求項１〜３のいずれか一項に記載のカバー部材。
【請求項５】
少なくとも発光体（１３）、好ましくは周方向の固定用ウェブ（１４）も、ポリカーボネートで形成されていることを特徴とする請求項４に記載のカバー部材。
【請求項６】
発光体（１３）領域内のプラスチックは、材質および／または厚さで選択され、４６０ｎｍの波長で発光体（１３）を通過する光が入射光（透過率）に対する割合は、１０％〜６０％の範囲にあることを特徴とする請求項４又は５に記載のカバー部材。
【請求項７】
デバイス、特に、エフェクトデバイスであって、平坦デバイス表面（１２）を有しており、請求項１〜６の何れか１項に記載のカバー部材（１１）によって覆われたＬＥＤ（１８）がデバイス表面（１２）に設置されていることを特徴とするエフェクトデバイス。
【発明の詳細な説明】
【技術分野】
【０００１】
本発明は、請求項１の特徴による平坦なデバイス表面に設置されたＬＥＤを覆うためのカバー部材、および請求項７によるデバイスに関する。
【背景技術】
【０００２】
現在使用されている発光ダイオード（以下、ＬＥＤと称する）は、多くの技術分野において大きな利点をもたらす高度な発光エネルギーとなっている。しかし、一部には、このような光集中型ＬＥＤは、原則として、比較的に低い発光が望まれる場所にも設置されている。特定のアプリケーション環境、例えばステージプレゼンテーションでは、ＬＥＤを集中的に発光させると、摂動などの混乱を招く可能性がある。
【０００３】
この場合、１つ可能な対応は、関連するＬＥＤを電源から切断することである。ただし、これには、ＬＥＤが取り付けられていて対応するデバイスへのかなりの介入が必要となってくる。さらに、情報機能は、例えば適切なデバイスの作動がいつでも可能なようにデバイスの表面に設置されたＬＥＤに頻繁に接続されている。ここでＬＥＤが電気回路から完全に切断されると、この情報機能は保証されなくなる。
【発明の概要】
【発明が解決しようとする課題】
【０００４】
上述の先行技術に鑑み、本発明の目的は、上記のようなＬＥＤの表示機能は維持されながら、デバイスの表面に設置されたＬＥＤのかなりの発光が摂動を引き起こさないことである。
【課題を解決するための手段】
【０００５】
上述した本発明目的は、請求項１の特徴を有する平坦デバイス表面に設置されたＬＥＤを覆うためのカバー部材を提供することにより達成される。有利なさらなる本発明の展開は、従属請求項に明記されている。
【０００６】
本発明における重要ポイントの一つによれば、平坦デバイス表面に設置されたＬＥＤを覆うためのカバー部材が提供されている。このカバー部材は、１つまたは複数の発光体と、１つまたは複数の発光体に接続された周方向の固定用ウェブとを備え、固定用ウェブと発光体との間に収容空間が形成され、デバイス表面上に突出するＬＥＤが収容空間に収容可能なように構成されている。この場合、発光体は、通電されたＬＥＤの眩惑影響が発生しないように選択されている。この際、発光体は、次の２つの機能の少なくとも１つを確保するが、通常は、２つの機能の組み合わせが必要となる。一方で、ＬＥＤによって発光された光の一部のみが発光体を透過する。他方で、透過された光のかなりの割合は乱されるため、眩惑影響は発生しない。同時に、放射体が点灯しているかどうかを識別することもできる。
【０００７】
発光体が円周方向の固定用ウェブに直接隣接した場合、よりシンプルな構造が得られる。或いは、最初に、周方向の固定用ウェブに隣接する光不透過性の、好ましくは周方向のセクションを提供し、後に光不透過性セクションに隣接する発光体のみを提供することも可能である。
【０００８】
好ましい実施形態としては、カバー部材は、球状ドームに近似する基本形状を有するが、他の形状も可能である。特に好ましい実施形態としては、カバー部材をデバイス表面に固定するために、発光体とは反対側の周方向の固定用ウェブに、好ましくは周方向の接着面を形成させる。接着面は、例えば、カバーフィルムで密封されることが可能である。これにより、カバーフィルムを取り除いた後、ユーザーがデバイス表面に設置されたＬＥＤの上にカバー部材を設置して固定することができる。結果として、色々な種類のデバイス表面にカバー部材を固定することが迅速、便利、確実に実現することができる。
【０００９】
さらに好ましい実施形態では、少なくともカバー部材内の発光体、好ましくは周方向の固定用ウェブもプラスチックで形成される。プラスチックは、優れた光吸収および光散乱特性を持つ多くの種類があるので、本発明の目的に特に適している。さらに、プラスチック製のカバー部材は、コスト効率よく量産することができる。可能で好ましいプラスチック材料は、例えばポリカーボネートである。好ましくは、発光体の領域におけるプラスチックの材料および厚さは、波長６４０ｎｍで、発光体を通過する光が発射光に対して１０％〜６０％（透過率）の範囲にあるように選択されている。
【００１０】
上記の目的は、請求項７に記載の装置によって更に達成される。この装置は、上記の図に基づくカバー部材で覆われたＬＥＤが設置される平坦なデバイス表面を有する。
【図面の簡単な説明】
【００１１】
【図１Ａ】本発明に係るカバー部材の典型的な用途を示すものであって、ＬＥＤが設けられたデバイス表面を示す。
【図１Ｂ】本発明に係るカバー部材の典型的な用途を示ものであって、本発明によるカバー部材で覆われたＬＥＤを示す。
【図２】本発明に係るカバー部材の実施形態を示す断面図である。
【図３】図２のカバー部材を示す斜視図である
【発明を実施するための形態】
【００１２】
本発明は、例示的な実施形態の説明により、さらなる特徴および利点に関して以下で詳細に説明される。
【００１３】
図１Ａおよび図１Ｂは、本発明によるカバー部材の典型的な用途を示している。図１Ａは、いわゆるエフェクトデバイスを含むデバイス表面１２を備えたデバイスを示す。このようなエフェクトデバイスは、エレクトリックギターまたはエレクトリックベースギターに関連する音楽ステージでのプレゼンテーションに使用され、サウンドを望ましい方式に修正する。ＬＥＤ１８は、特定の作動モードのための表示要素として作用する。エフェクトデバイス自体はいつでも機能可能であり、または、エフェクトデバイスによって音への影響が特定的に実行可能である。しかしながら、ステージが暗くなると、ＬＥＤ１８の発光は、特定的に摂動などの混乱を引き起こすことになる。このため、図１Ｂから分かるように、ＬＥＤを覆うデバイス表面１２に固定される本発明のカバー部材１１が提案されている。
【００１４】
ここで、カバー部材１１自体は、図２および３を参照してさらに詳細に説明される。本実施形態では、カバー部材１１は、実質的に球形ドーム状、つまりほぼ半球形であるが、これと異なる形状も実現可能である。ここでカバー部材の正体は、発光体１３であり、これは、減衰される方式でＬＥＤの発光を通過させるものである。すなわち、下方に位置するＬＥＤの光減衰および／または散乱をもたらす働きをする。また、デバイス表面１２にカバー部材を固定するために、円周方向の固定用ウェブ１４が提供されている。球形ドーム状の発光体（被覆体）１３は、ここでは環状であるように形成された周方向の固定ウェブに直接隣接している。環状の固定用ウェブ１４および球形ドーム状の発光体１３は、プラスチック、この場合、ポリカーボネートから一体に形成されている。
【００１５】
デバイス表面１２へのカバー部材の固定を容易にするために、固定用ウェブ１４は、発光体１３とは反対側に、接着層１９が設けられた接着面１６を有する。ここで、接着層１９は、最初から、カバー部材をデバイス表面に付着する直前に使用者によって除去されるべきカバーフィルム１７でシールされ、その結果、カバー部材は、接着層１９を介してデバイス表面１２に固定される。
【００１６】
本発明は、例えば、ステージプレゼンテーションの分野、特にエレクトリックギターおよびエレクトリックベースギターのためのエフェクトデバイスに関連して説明されてきたが、他の用途も、例えば家庭でも実行可能である。
【００１７】
ここで、多くの機器アイテムは、特に寝室や子供部屋で摂動光源を構成する可能性のある強力な発光ＬＥＤを備えている。ここで提案されているカバー部材は、上記のようなＬＥＤの機能を維持しながら、光干渉のような眩惑影響を排除するためのシンプルで信頼できる手段を形成している。
【図１Ａ】
2020113765.tif 000003
【図１Ｂ】
2020113765.tif 000004
【図２】
2020113765.tif 000005
【図３】
2020113765.tif 000006
【外国語明細書】
2020113765000001.pdf